(57)【特許請求の範囲】
【請求項１】
腰部及び一対の脚部の主要部分を構成する本体部と、
前記本体部の前側で上下に延在し、前記腰部の前側部分から前記脚部の内裾部分に至る前中心部分を構成するフロント部と、を備え、
展開形状において、前記フロント部における前記本体部との縫着端辺の腰部側部分を前記本体部における前記フロント部との縫着端辺の腰部側部分に沿わせた場合に、前記フロント部における前記本体部との縫着端辺の脚部側部分が前記本体部における前記フロント部との縫着端辺の脚部側部分に交差し、
前記フロント部における脚部側部分が腰部側部分に対して捻られるように、前記フロント部の前記縫着端辺と前記本体部の前記縫着端辺とが縫着され、
前記フロント部における前記腰部側部分は、幅方向に伸縮性を有し、前記フロント部における前記脚部側部分は、上下方向に伸縮性を有しているボトム衣類。
【請求項２】
展開形状において、前記フロント部における前記本体部との前記縫着端辺は、湾曲形状が内向きと外向きとで反転する点で示される前記腰部側部分と前記脚部側部分との連結点を含むように全体として凹状に湾曲している請求項１記載のボトム衣類。
【請求項３】
展開形状において、前記フロント部における前中心側の縫着端辺の上端と下端とを結ぶ直線と、前記連結点から前記直線に向かう垂線を引き、当該垂線と前記直線との交点から前記フロント部における前記縫着端辺の湾曲部分に向かって引いた接線とがなす角度θが４０°〜６０°である請求項２記載のボトム衣類。
【発明の詳細な説明】
【技術分野】
【０００１】  本発明は、ボトム衣類に関する。
【背景技術】
【０００２】  従来のボトム衣類では、マチ部から脚部に至るフィット感を向上させるため、股間の形状に沿うようなカットラインによってマチ部を構成したものがある。また、同様の目的で、マチ部が立体的に股間から浮くように設計されたものも存在している。例えば特許文献１に記載のトランクス型パンツでは、ニット地を用いた左右の前身頃の中央端に、男性の局部を支持する生地部を形成して内側に折返し、左右の前身頃を折返し部分の近傍で縫合した構成となっている。
【先行技術文献】
【特許文献】
【０００３】
【特許文献１】特開平９−００３７０１号公報
【発明の概要】
【発明が解決しようとする課題】
【０００４】  股間の形状に沿うようなカットラインによってマチ部を構成する場合、マチ部のカットラインが着用時の快適性を損ねるおそれがある。また、マチ部を股間から浮かせる構成では、鼠径部にも浮きが生じ易く、肌への密着感が確保しにくくなるおそれがある。いずれも構成においても、従来のボトム衣類では、しゃがむ動作や座る動作の際、鼠径部の周辺に圧迫感が生じるという問題があった。【０００５】  本発明は、上記課題の解決のためになされたものであり、鼠径部の周辺の圧迫感を軽減し、着用時のフィット感を高めることができるボトム衣類を提供することを目的とする。
【課題を解決するための手段】
【０００６】  上記課題の解決のため、一側面に係るボトム衣類では、腰部及び一対の脚部の主要部分を構成する本体部と、本体部の前側で上下に延在し、腰部の前側部分から脚部の内裾部分に至る前中心部分を構成するフロント部と、を備え、展開形状において、フロント部における本体部との縫着端辺の腰部側部分は、本体部におけるフロント部との縫着端辺の腰部側部分に沿わせた場合に、フロント部における本体部との縫着端辺の脚部側部分が本体部におけるフロント部との縫着端辺の脚部側部分に交差し、フロント部における脚部側部分が腰部側部分に対して捻られるように、フロント部の縫着端辺と本体部の縫着端辺とが縫着されている。【０００７】  このボトム衣類では、フロント部における脚部側部分が腰部側部分に対して捻られた状態で本体部に縫着されることにより、脚部が前方を向くように立体的に形成される。脚部が前方を向くことで、しゃがむ動作や座る動作の際、鼠径部の周辺の圧迫感が軽減され、着用時のフィット感が高められる。着用時のフィット感が高まることで、動作による裾上がりや着崩れの発生も抑えられる。【０００８】  また、フロント部における腰部側部分は、幅方向に伸縮性を有し、フロント部における脚部側部分は、上下方向に伸縮性を有していてもよい。腰部側部分が幅方向に伸縮性を有していることにより、着用者の下腹部へのフィット感を確保できる。また、脚部側部分が上下方向に伸縮性を有していることにより、着用者の内腿部へのフィット感を確保できる。また、フロント部における脚部側部分が腰部側部分に対して捻られているので、フロント部の下方に向かうほど伸縮方向が幅方向から上下方向に変化する。このため、着用者の股間部へのフィット感も高められる。【０００９】  また、展開形状において、フロント部における本体部との縫着端辺は、腰部側部分と脚部側部分との連結点を含むように凹状に湾曲していてもよい。フロント部における縫着端辺の腰部側部分と脚部側部分とを凹状の湾曲部分によって滑らかにつなぐことで、脚部の立体感を好適に形成できる。【００１０】  また、展開形状において、フロント部における前中心側の縫着端辺の上端と下端とを結ぶ直線と、連結点から直線に向かう垂線を引き、当該垂線と直線との交点からフロント部における縫着端辺の湾曲部分に向かって引いた接線とがなす角度θが４０°〜６０°であってもよい。角度θにより、前方への脚部の傾きを調整できる。角度θを４０°〜６０°の範囲とすることで、着用時のフィット感を好適に確保できる。
【発明の効果】
【００１１】  このボトム衣類によれば、鼠径部の周辺の圧迫感を軽減し、着用時のフィット感を高めることができる。
【図面の簡単な説明】
【００１２】
【図１】ボトム衣類の一実施形態を示す正面図である。
【図２】図１に示したボトム衣類の背面図である。
【図３】ボトム衣類を構成する本体部及びフロント部の展開形状を示す図であり、（ａ）は本体部の展開形状、（ｂ）フロント部の展開形状である。
【図４】本体部とフロント部との縫着の様子を示す図であり、（ａ）は腰部側部分の縫着の様子、（ｂ）は脚部側部分の縫着の様子である。
【図５】ボトム衣類の作用効果を示す図であり、（ａ）は比較例、（ｂ）は実施例である。
【図６】ボトム衣類を構成する本体部及びフロント部の展開形状の変形例を示す図である。
【図７】ボトム衣類を構成する本体部及びフロント部の展開形状の別の変形例を示す図である。
【図８】ボトム衣類を構成する本体部及びフロント部の展開形状の更に別の変形例を示す図である。
【図９】ボトム衣類を構成する本体部及びフロント部の展開形状の更に別の変形例を示す図である。
【発明を実施するための形態】
【００１３】  以下、図面を参照しながら、ボトム衣類の好適な実施形態について詳細に説明する。
【００１４】  図１は、ボトム衣類の一実施形態を示す正面図である。また、図２は、図１の背面図である。図１及び図２に示すように、ボトム衣類１は、例えば男性用下着の一種であるパンツとして構成されている。ボトム衣類１は、本体部２とフロント部３とを互いに縫着することによって形成され、腰部４、一対の脚部５，５を有している。腰部４は、本体部２の上部を構成する部分であり、着用者のウエストラインの下方に対応する部分である。腰部４の上端部４ａには、例えばゴムなどによって形成された伸縮性を有するテープが設けられる。伸縮性を有するテープは、省略することも可能である。また、脚部５は、着用者の脚部を通す部分である。左右の脚部５，５の間は、着用者の股間に対応する股部６となっている。
【００１５】  本体部２は、ボトム衣類１の前中心部分７を除き、腰部４及び一対の脚部５，５の主要部分を構成している。本体部２は、左右の身頃を後中心Ｂで縫着してなり（図２参照）、着用者の腹部、臀部、及び大腿部を覆うように左右から前側に回り込んでいる。本体部２を構成する素材としては、例えば鹿の子やフライスなどの非（難）伸縮性を有する素材が用いられる。また、例えばベア天竺、ツーウェイトリコット、ツーウェイラッセルなどの伸縮性を有する素材を用いてもよい。
【００１６】  フロント部３は、図１に示すように、本体部２の前側で上下に略帯状に延在し、腰部４における上端部４ａの前側部分４ａｆから脚部５の内裾部分５ａに至る前中心部分７を構成している。フロント部３は、前中心Ａを挟んで左右対称に配置され、前中心Ａで互いに縫着されている。また、左右のフロント部３は、左右から前側に回り込む本体部２にそれぞれ縫着されている。フロント部３を構成する素材としては、例えばベア天竺、ツーウェイトリコット、ツーウェイラッセルなどの伸縮性を有する素材が用いられる。
【００１７】  本実施形態では、フロント部３における腰部側部分３ａは、幅方向に伸縮性を有している。また、フロント部３における脚部側部分３ｂは、股部６の付近で腰部側部分３ａに対して下方に捻られた状態となっている。このため、股部６の付近で伸縮の方向性が幅方向から上下方向に変化し、股部６から脚部５の内裾部分５ａにかけては上下方向の伸縮性を有している。
【００１８】  図３は、ボトム衣類を構成する本体部及びフロント部の展開形状を示す図である。ボトム衣類１は左右対称であるため、同図では着用者から見て左側の身頃のみを示している。また、図３では、互いに縫着される縫着端辺同士に同一のマークを付している。実際には、本体部２及びフロント部３との縫着には縫い代が必要であるが、説明の簡単化のために縫い代は省略する。
【００１９】  図３（ａ）に示すように、展開形状において、本体部２は、腰部４を構成する腰部端辺１１と、他方の本体部２に縫着される後側縫着端辺１２と、股部６を構成する股部縫着端辺１３と、脚部５を構成する脚部端辺１４と、フロント部３に縫着される前側縫着端辺１５とによって画成されている。
【００２０】  腰部端辺１１は、腰部４の上端部４ａに縫着される部分に相当し、略直線状となっている。腰部端辺１１は、本体部２とフロント部３との縫着によってフロント部３側の腰部端辺２１と連続し、腰部４を構成する。後側縫着端辺１２は、腰部端辺１１の後端と脚部端辺１４の後端との間で上下に延びている。後側縫着端辺１２は、脚部端辺１４側に向かうにしたがって本体部２が幅広となるように内向きに緩やかに湾曲した形状となっている。後側縫着端辺１２は、後中心Ｂにおいて、他方の本体部２の後側縫着端辺１２と縫着される（図２参照）。
【００２１】  股部縫着端辺１３は、後側縫着端辺１２との間で嘴形状を形成するように、後側縫着端辺１２の下端と脚部端辺１４の後端とを結ぶように略直線状に延びている。股部縫着端辺１３は、股部６の下端に相当する位置でフロント部３側の股部縫着端辺２３と縫着される。脚部端辺１４は、脚部５において内裾部分５ａを除く部分に相当する。脚部端辺１４は、上向きに緩やかに湾曲した形状となっており、股部縫着端辺１３の下端と前側縫着端辺の下端との間で左右に延びている。脚部端辺１４は、本体部２とフロント部３との縫着によってフロント部３側の脚部端辺２４と連続し、脚部５を構成する。
【００２２】  前側縫着端辺１５は、腰部端辺１１の前端と脚部端辺１４の前端との間で上下に延びている。前側縫着端辺１５の腰部側部分１５ａは、脚部端辺１４側に向かうにしたがって本体部２が幅広となるように内向きに緩やかに湾曲した形状となっている。一方、前側縫着端辺１５の脚部側部分１５ｂは、腰部側部分１５ａとは反対に、外向きに緩やかに湾曲した形状となっている。腰部側部分１５ａと脚部側部分１５ｂとの連結点Ｐ１は、前側縫着端辺１５の湾曲形状が内向きと外向きとで反転する点で示される。
【００２３】  図３（ｂ）に示すように、展開形状において、フロント部３は、腰部４を構成する腰部端辺２１と、他方のフロント部３に縫着される前側縫着端辺２２と、股部６を構成する股部縫着端辺２３と、脚部５を構成する脚部端辺２４と、本体部２に縫着される脇側縫着端辺２５とによって画成されている。
【００２４】  腰部端辺２１は、腰部４の上端部４ａに縫着される部分に相当し、略直線状となっている。腰部端辺２１は、本体部２とフロント部３との縫着によって本体部２側の腰部端辺２１と連続し、腰部４を構成する。前側縫着端辺２２は、腰部端辺２１の前端と股部縫着端辺２３の前端との間で上下に延びている。本実施形態のボトム衣類１は男性用のパンツであるため、前側縫着端辺２２は、外向きに緩やかに湾曲した形状となっている。このように、前側縫着端辺２２を他方のフロント部３の前側縫着端辺２２と縫着することで、ボトム衣類１の前中心部分７（図１参照）が前方にわずかに膨らむ立体的な形状となる。
【００２５】  股部縫着端辺２３は、前側縫着端辺２２に対して鈍角をなすように、前側縫着端辺２２の下端と脚部端辺２４の下端との間で略直線状に延びている。股部縫着端辺２３は、股部６の下端に相当する位置で本体部２側の股部縫着端辺１３と縫着される。脚部端辺２４は、脚部５の内裾部分５ａに相当する。脚部端辺２４は、股部縫着端辺２３に対して鈍角をなすように、股部縫着端辺２３の下端と脇側縫着端辺２５の下端との間で略直線状に延びている。脚部端辺２４は、本体部２とフロント部３との縫着によってフロント部３側の脚部端辺１４と連続し、脚部５を構成する。
【００２６】  脇側縫着端辺２５は、腰部端辺２１の脇端と脚部端辺２４の上端との間で上下に延びている。脇側縫着端辺２５の腰部側部分２５ａは、外向きに緩やかに湾曲した形状となっている。腰部側部分２５ａの湾曲の曲率は、本体部２における前側縫着端辺１５の腰部側部分１５ａの湾曲の曲率と同等若しくは僅かに小さくなっている。一方、脇側縫着端辺２５の脚部側部分２５ｂは、腰部側部分２５ａとは反対に、内向きに緩やかに湾曲した形状となっている。脚部側部分２５ｂの湾曲の曲率は、本体部２における前側縫着端辺１５の脚部側部分１５ｂの湾曲の曲率よりも大きくなっている。腰部側部分２５ａと脚部側部分２５ｂとの連結点Ｐ２は、本体部２の場合と同様に、脇側縫着端辺２５の湾曲形状が内向きと外向きとで反転する点で示される。脇側縫着端辺２５は、全体として、連結点Ｐ２を含むように凹状に湾曲した形状を有している。
【００２７】  脚部側部分２５ｂの下端側は、腰部端辺２１の脇端と脚部端辺２４の下端とを結ぶラインよりも脇側に位置し、脚部端辺２４との間で嘴形状を形成している。これにより、フロント部３は、全体として略Ｌ字状となっており、フロント部３の脚部側部分３ｂの延在方向は、腰部側部分３ａの延在方向に対して鈍角に交差した状態となっている。また、フロント部３の前側縫着端辺２２の上端と下端とを結ぶ直線Ｌ１と、連結点Ｐ２から直線Ｌ１に向かう垂線Ｌ２を引き、当該垂線Ｌ２と直線Ｌ１との交点Ｐ３から脚部側部分２５ｂの湾曲部分に向かって引いた接線Ｌ３とがなす角度θは、４０°〜６０°となっていることが好ましい。この角度θは、後述する脚部５の前方への傾斜の程度を決定するパラメータである。
【００２８】  図４は、本体部とフロント部との縫着の様子を示す図である。上述した構成を有するフロント部３を本体部２に対して縫着する場合、まず、図４（ａ）に示すように、フロント部３における脇側縫着端辺２５の腰部側部分２５ａを本体部２における前側縫着端辺１５の腰部側部分１５ａに沿わせて縫着をする。このとき、フロント部３の脚部側部分３ｂの延在方向は、腰部側部分３ａの延在方向に対して鈍角に交差しているため、フロント部３における脇側縫着端辺２５の脚部側部分２５ｂが本体部２における前側縫着端辺１５に交差し、フロント部３の脚部側部分３ｂが本体部２側に張り出した状態となる。
【００２９】  次に、フロント部３における脇側縫着端辺２５の脚部側部分２５ｂを本体部２における前側縫着端辺１５の脚部側部分１５ｂに縫着する。この縫着の際には、本体部２側に張り出したフロント部３の脚部側部分３ｂを連結点Ｐ２の付近から内裾側に捻り、フロント部３における脇側縫着端辺２５の脚部側部分２５ｂを本体部２における前側縫着端辺１５の脚部側部分１５ｂに沿わせて縫着をする。その後、フロント部３の股部縫着端辺２３を本体部２の股部縫着端辺１３に縫着すると、図４（ｂ）に示すように、本体部２とフロント部３との一方側の縫着が完了する。本体部２とフロント部３との他方側でも同様の縫着を行い、さらに、フロント部３，３の前側縫着端辺２２，２２同士を前中心Ａ側で縫着すると共に、本体部２，２の後側縫着端辺１２，１２同士を後中心Ｂ側で縫着することで、図１及び図２に示したボトム衣類１が形成される。
【００３０】  図５は、ボトム衣類の作用効果を示す図である。図５（ａ）に示すように、比較例に係るボトム衣類１０１では、本体部１０２の構成や腰部１０４の形状は、上記実施形態と同等であるが、フロント部１０３が予め前中心部分１０７の形状に合わせて形成されている。そして、フロント部３における脚部側部分１０３ｂが腰部側部分１０３ａに対して捻られることなく、本体部１０２とフロント部１０３との縫着がなされている。このようなボトム衣類１０１では、フロント部１０３による立体形成力は作用せず、脚部１０５が真下に向かって形成される。
【００３１】  一方、実施例に係るボトム衣類１では、上述したように、フロント部３における脚部側部分３ｂが腰部側部分３ａに対して捻られた状態で本体部２に縫着されている。ボトム衣類１では、このフロント部３の捻じれによって立体形成力が作用し、図５（ｂ）に示すように、脚部５が前方を向くように立体的に形成される。脚部５が前方を向くことで、しゃがむ動作や座る動作の際、鼠径部の周辺の圧迫感が軽減され、着用時のフィット感が高められる。着用時のフィット感が高まることで、動作による裾上がりや着崩れの発生も抑えられる。
【００３２】  また、ボトム衣類１では、フロント部３に捻りが加えられた結果、フロント部３の伸縮方向が位置によって変化し、フロント部３における腰部側部分３ａは幅方向に伸縮性を有し、脚部側部分３ｂは上下方向に伸縮性を有している。腰部側部分３ａが幅方向に伸縮性を有していることにより、着用者の下腹部へのフィット感を確保できる。また、脚部側部分３ｂが上下方向に伸縮性を有していることにより、着用者の内腿部へのフィット感を確保できる。フロント部３における脚部側部分３ｂが腰部側部分３ａに対して捻られているので、捻じれ部分（連結点Ｐ２付近）では、フロント部３の下方に向かうほど伸縮方向が幅方向から上下方向に変化する。このため、着用者の股間部へのフィット感も高められる。
【００３３】  また、ボトム衣類１では、展開状態において、フロント部３の脇側縫着端辺２５が、腰部側部分２５ａと脚部側部分２５ｂとの連結点Ｐ２を含むように凹状に湾曲している。フロント部３における脇側縫着端辺２５の腰部側部分２５ａと脚部側部分２５ｂとを凹状の湾曲部分によって滑らかにつなぐことで、脚部５の立体感を好適に形成できる。
【００３４】  さらに、ボトム衣類１では、展開形状において、フロント部３における前側縫着端辺２２の上端と下端とを結ぶ直線Ｌ１と、連結点Ｐ２から直線Ｌ１に向かう垂線Ｌ２を引き、当該垂線Ｌ２と直線Ｌ１との交点Ｐ３から湾曲部分に向かって引いた接線Ｌ３とがなす角度θが４０°〜６０°となっている。角度θにより、前方への脚部５の傾きを調整できる。角度θを４０°〜６０°の範囲とすることで、着用時のフィット感を好適に確保できる。
【００３５】  上記実施形態では、ボトム衣類として男性用パンツを例示したが、ボトム衣類は、男性用及び女性用を問わず、左右の脚部の長さを更に下方に伸ばしたロングタイプのパンツ、タイツ、ステテコといった他のボトム衣類にも適用可能である。また、着用状態において着用者の臍のラインよりも下方に腰部が位置するローウエストタイプ（ローライズタイプ）であってもよい。
【００３６】  図６は、ボトム衣類を構成する本体部及びフロント部の展開形状の変形例を示す図である。同図の例は、女性用のパンツに適用する場合の本体部２及びフロント部３の展開形状である。女性用の場合、前中心部分７に膨らみを設ける必要がない。したがって、フロント部３の前側縫着端辺２２が直線形状となっている点で図３に示した展開形状と相違している。
【００３７】  また、図７は、ボトム衣類を構成する本体部及びフロント部の展開形状の別の変形例を示す図である。同図の例は、ロングタイプのパンツに適用する場合の本体部２及びフロント部３の展開形状である。ロングタイプのパンツの場合、例えば本体部２の股部縫着端辺１３が内向きに緩やかに湾曲した形状となっている。また、フロント部３における脚部端辺２４が設けられておらず、股部縫着端辺２３が前側縫着端辺２２の下端と脇側縫着端辺２５の下端との間で左右に延びている。また、股部縫着端辺２３は、下向きに緩やかに湾曲した形状となっている。
【００３８】  これらの変形例の構成においても、フロント部３の捻じれによって脚部５が前方を向くように立体的に形成される。脚部５が前方を向くことで、しゃがむ動作や座る動作の際、鼠径部の周辺の圧迫感が軽減され、着用時のフィット感が高められる。着用時のフィット感が高まることで、動作による裾上がりや着崩れの発生も抑えられる。
【００３９】  図８は、ボトム衣類を構成する本体部及びフロント部の展開形状の別の変形例を示す図である。同図の例は、図３と同様の本体部２及びフロント部３の展開形状であるが、フロント部３が上下に２分割されている点で図３に示した形態と相違している。この形態では、前側縫着端辺２２の略中央位置と、脇側縫着端辺２５の上部とを斜めに結ぶ分割線に沿って、フロント部３が上部分割部材２６Ａと下部分割部材２６Ｂとに分割されている。分割線は、上方に凸となるように緩やかに湾曲した形状となっている。
【００４０】  上部分割部材２６Ａは、腰部端辺２１と、前側縫着端辺２２の略上半分部分と、脇側縫着端辺２５の上部と、分割線に沿う分割縫着端辺２７ａとによって画成されている。また、下部分割部材２６Ｂは、前側縫着端辺２２の略下半分部分と、股部縫着端辺２３と、脚部端辺２４と、脇側縫着端辺２５の下部（上部をのぞく部分）と、分割線に沿う分割縫着端辺２７ｂとによって画成されている。フロント部３は、上部分割部材２６Ａの分割縫着端辺２７ａと下部分割部材２６Ｂの分割縫着端辺２７ｂとを縫着することによって一体化される。
【００４１】  このような構成によっても、上記実施形態と同様に、フロント部３の捻じれによって脚部５が前方を向くように立体的に形成される。脚部５が前方を向くことで、しゃがむ動作や座る動作の際、鼠径部の周辺の圧迫感が軽減され、着用時のフィット感が高められる。着用時のフィット感が高まることで、動作による裾上がりや着崩れの発生も抑えられる。また、フロント部３を上下に分割することで、上部分割部材２６Ａと下部分割部材２６Ｂとの間で素材の伸縮性を容易に変更することが可能となる。例えば非（難）伸縮性を有する素材によって上部分割部材２６Ａを構成することにより、フロント部３に着用者の下腹部を押さえる機能を持たせることができる。
【００４２】  図９は、ボトム衣類を構成する本体部及びフロント部の展開形状の別の変形例を示す図である。同図の例は、本体部２の上方（腰部４の少なくとも一部）を構成する延出部分３ｃが上部分割部材２６Ａに更に設けられている点で図８に示した実施形態と相違している。下部分割部材２６Ｂの構成は、図８に示した形態と同一となっている。
【００４３】  この例では、上部分割部材２６Ａは、図８の場合と同様に、腰部端辺２１と、前側縫着端辺２２の略上半分部分と、分割縫着端辺２７ａとを有している。一方、上部分割部材２６Ａは、脇側縫着端辺２５の上部に代えて、腰部端辺２１に連続する上側延出腰部端辺２８と、分割縫着端辺２７ａに連続する略直線状の下側延出腰部端辺２９と、上側延出腰部端辺２８の後端と下側延出腰部端辺２９の後端との間で上下に延びる後側縫着端辺３０とを有している。
【００４４】  上側延出腰部端辺２８は、腰部４の上端部４ａに縫着される部分であり、略直線状をなしている。下側延出腰部端辺２９は、本体部２の腰部端辺１１に沿った形状をなし、腰部端辺１１に縫着されて腰部４を構成する。この形態では、本体部２の腰部端辺１１が上方に凸となるように湾曲した形状となっており、下側延出腰部端辺２９は、これに対応して上方に凹状に湾曲した形状となっている。下側延出腰部端辺２９は、分割縫着端辺２７ａと滑らかに連続する。また、下側延出腰部端辺２９は、上部分割部材２６Ａの分割縫着端辺２７ａと下部分割部材２６Ｂの分割縫着端辺２７ｂとの縫着によって、下部分割部材２６Ｂにおける脇側縫着端辺２５の下部とも滑らかに連続する。後側縫着端辺３０は、略直線状をなし、本体部２とフロント部３との縫着によって本体部２の後側縫着端辺１２と連続する。後側縫着端辺３０は、後中心Ｂにおいて、他方のフロント部３の後側縫着端辺３０と縫着される。
【００４５】  このような構成によっても、上記実施形態と同様に、フロント部３の捻じれによって脚部５が前方を向くように立体的に形成される。脚部５が前方を向くことで、しゃがむ動作や座る動作の際、鼠径部の周辺の圧迫感が軽減され、着用時のフィット感が高められる。着用時のフィット感が高まることで、動作による裾上がりや着崩れの発生も抑えられる。また、フロント部３に延出部分３ｃを設けることにより、特に腰部４の上端部４ａに伸縮性のテープを配置しない場合において、下側延出腰部端辺２９と腰部端辺１１との縫着部分に絞りを形成することにより、ボトム衣類１の着用感を更に向上させることができる。なお、図９に示した形態において、フロント部３を必ずしも分割する必要はなく、腰部側部分３ａ、脚部側部分３ｂ、及び延出部分３ｃを予め一体の部材で形成してもよい。また、図９に示した形態では、延出部分３ｃが後中心Ｂまで延びるが、延出部分３ｃは、必ずしも後中心Ｂまで延びていなくてもよい。
【符号の説明】
【００４６】  １…ボトム衣類、２…本体部、３…フロント部、３ａ…腰部側部分、３ｂ…脚部側部分、４…腰部、４ａｆ…前側部分、５…脚部、５ａ…内裾部分、７…前中心部分、１５…前側縫着部分、１５ａ…腰部側部分、１５ｂ…脚部側部分、２５…脇側縫着部分、２５ａ…腰部側部分、２５ｂ…脚部側部分、Ｌ１…直線、Ｌ２…垂線、Ｌ３…接線、Ｐ２…連結点、Ｐ３…交点、θ…Ｌ１とＬ３がなす角度。
【図１】
0006460129.tif 000002
【図２】
0006460129.tif 000003
【図３】
0006460129.tif 000004
【図４】
0006460129.tif 000005
【図５】
0006460129.tif 000006
【図６】
0006460129.tif 000007
【図７】
0006460129.tif 000008
【図８】
0006460129.tif 000009
【図９】
0006460129.tif 000010